(57)【特許請求の範囲】
【請求項１】
燃料ガスと一次空気との混合ガスを生成する混合管と、該混合管に連設されたバーナボディと、該バーナボディ上に載置して外周に多数の炎孔を形成するバーナヘッドと、前記炎孔に点火するための点火プラグとを備えるコンロ用バーナにおいて、
前記バーナボディは、前記バーナヘッドを載置する環状の載置部と、前記点火プラグを収容して上端が開口する点火プラグ収容部とを備え、
前記バーナヘッドは、前記点火プラグ収容部に収容された前記点火プラグの上方を覆って前記点火プラグ収容部の奥側上部に点火炎孔を形成する点火部と、該点火部に連接され、前記バーナヘッドの外周面を基端として径方向外方に張り出す張出部とを備え、
該張出部は、前記点火プラグ収容部の上端開口に対向する上壁と、該上壁における前記バーナヘッドの周方向両側縁から下方に延びる一対の側方垂下壁と、両側方垂下壁に連続して前記上壁の張り出し方向先端縁から下方に延びる前方垂下壁とを備え、
前記側方垂下壁は、該側方垂下壁の基端から先端にかけての下縁が、該先端に向かって次第に下降するように傾斜していることを特徴とするコンロ用バーナ。
【請求項２】
前記側方垂下壁の基端に隣接する前記点火部の内面に、該側方垂下壁の下縁から連続して上方に向かって凹入されて前記バーナヘッドの径方向に沿って内方に延びる凹部が形成されていることを特徴とする請求項１記載のコンロ用バーナ。
【請求項３】
燃料ガスと一次空気との混合ガスを生成する混合管と、該混合管に連設されたバーナボディと、該バーナボディ上に載置して外周に多数の炎孔を形成するバーナヘッドと、前記炎孔に点火するための点火プラグとを備えるコンロ用バーナにおいて、
前記バーナボディは、前記バーナヘッドを載置する環状の載置部と、前記点火プラグを収容して上端が開口する点火プラグ収容部とを備え、
前記バーナヘッドは、前記点火プラグ収容部に収容された前記点火プラグの上方を覆って前記点火プラグ収容部の奥側上部に点火炎孔を形成する点火部と、該点火部に連接され、前記バーナヘッドの外周面を基端として径方向外方に張り出す張出部とを備え、
該張出部は、前記点火プラグ収容部の上端開口に対向する上壁と、該上壁における前記バーナヘッドの周方向両側縁から下方に延びる一対の側方垂下壁と、両側方垂下壁に連続して前記上壁の張り出し方向先端縁から下方に延びる前方垂下壁とを備え、
前記側方垂下壁の基端に隣接する前記点火部の内面に、該側方垂下壁の下縁から連続して上方に向かって凹入されて前記バーナヘッドの径方向に沿って内方に延びる凹部が形成されていることを特徴とするコンロ用バーナ。
【発明の詳細な説明】
【技術分野】
【０００１】
本発明は、ガスコンロに用いられるコンロ用バーナに関する。
【背景技術】
【０００２】
この種のコンロ用バーナは、燃料ガスと一次空気との混合ガスを供給する混合管と、混合管に連設されたバーナボディと、該バーナボディ上に載置されて外周に沿って多数の炎孔を形成する環状のバーナヘッドと、前記炎孔に点火するための点火プラグとを備えている。
【０００３】
そして、この種のコンロ用バーナにおいては、バーナボディの外周部の一部に点火プラグを収容したものが知られている（下記特許文献１参照）。点火プラグをバーナボディの一部に収容することにより、点火プラグの上方はバーナヘッドの一部に覆われる。これにより、点火プラグがバーナボディの外側に配設されている場合に比べて、点火プラグへの煮こぼれ汁の付着が少なくなる。
【先行技術文献】
【特許文献】
【０００４】
【特許文献１】特開平４−６４８０７号公報
【発明の概要】
【発明が解決しようとする課題】
【０００５】
しかし、上記従来のものでは、点火プラグを覆っているバーナヘッドの外周端と点火プラグとの距離が短く、多量の煮こぼれ汁がバーナヘッド上に流れ落ちると、点火プラグを覆っている内壁面を伝って、点火プラグ上に滴下したり、更に奥側に流れて点火炎孔に付着するおそれがある。そして、点火プラグや点火炎孔に煮こぼれ汁が付着した場合には、点火プラグの放電不良や点火炎孔の目詰まりが生じて良好な点火が行えなくなる不都合がある。
【０００６】
上記の点に鑑み、本発明は、煮こぼれ汁による悪影響を無くして良好な点火が行われるコンロ用バーナを提供することを目的とする。
【課題を解決するための手段】
【０００７】
かかる目的を達成するため、本発明は、燃料ガスと一次空気との混合ガスを生成する混合管と、該混合管に連設されたバーナボディと、該バーナボディ上に載置して外周に多数の炎孔を形成するバーナヘッドと、前記炎孔に点火するための点火プラグとを備えるコンロ用バーナにおいて、前記バーナボディは、前記バーナヘッドを載置する環状の載置部と、前記点火プラグを収容して上端が開口する点火プラグ収容部とを備え、前記バーナヘッドは、前記点火プラグ収容部に収容された前記点火プラグの上方を覆って前記点火プラグ収容部の奥側上部に点火炎孔を形成する点火部と、該点火部に連接され、前記バーナヘッドの外周面を基端として径方向外方に張り出す張出部とを備え、該張出部は、前記点火プラグ収容部の上端開口に対向する上壁と、該上壁における前記バーナヘッドの周方向両側縁から下方に延びる一対の側方垂下壁と、両側方垂下壁に連続して前記上壁の張り出し方向先端縁から下方に延びる前方垂下壁とを備え、前記側方垂下壁は、該側方垂下壁の基端から先端にかけての下縁が、該先端に向かって次第に下降するように傾斜していることを特徴とする。
【０００８】
本発明によれば、張出部の上壁が点火プラグや点火プラグ収容部の上方を覆い、張出部の側方垂下壁及び前方垂下壁が、点火プラグ収容部の外側を包囲するので、点火プラグ収容部への煮こぼれ汁の侵入を防止することができる。
【０００９】
しかも、側方垂下壁の下縁が外側に向かって下降する傾斜になっていることにより、張出部上に流れ落ちた煮こぼれ汁を、側方垂下壁の下縁の傾斜に伝わらせて、点火プラグ収容部から遠ざかる方向に円滑に案内することができる。
【００１０】
これにより、点火プラグへの煮こぼれ汁の付着や、点火プラグ収容部の奥側にある点火炎孔の煮こぼれ汁による目詰まりを防止することができるので、煮こぼれ汁による点火不良を防止することができる。
【００１１】
更に、本発明において、前記側方垂下壁の基端に隣接する前記点火部の内面に、該側方垂下壁の下縁から連続して上方に向かって凹入されて前記バーナヘッドの径方向に沿って内方に延びる凹部が形成されていることが好ましい。
【００１２】
これによれば、張出部上に流れ落ちた煮こぼれ汁が、側方垂下壁の基端から点火部の内側に回り込もうとしても、点火部の凹部の周縁の段差によってこれ以上の回り込みが阻止される。
【００１３】
そしてこのとき、側方垂下壁の下縁が外側に向かって下降する傾斜になっているので、点火部の手前で回り込みが阻止された煮こぼれ汁をバーナヘッドの外側に向かって円滑に排除することができる。
【００１４】
また、本発明は、燃料ガスと一次空気との混合ガスを生成する混合管と、該混合管に連設されたバーナボディと、該バーナボディ上に載置して外周に多数の炎孔を形成するバーナヘッドと、前記炎孔に点火するための点火プラグとを備えるコンロ用バーナにおいて、前記バーナボディは、前記バーナヘッドを載置する環状の載置部と、前記点火プラグを収容して上端が開口する点火プラグ収容部とを備え、前記バーナヘッドは、前記点火プラグ収容部に収容された前記点火プラグの上方を覆って前記点火プラグ収容部の奥側上部に点火炎孔を形成する点火部と、該点火部に連接され、前記バーナヘッドの外周面を基端として径方向外方に張り出す張出部とを備え、該張出部は、前記点火プラグ収容部の上端開口に対向する上壁と、該上壁における前記バーナヘッドの周方向両側縁から下方に延びる一対の側方垂下壁と、両側方垂下壁に連続して前記上壁の張り出し方向先端縁から下方に延びる前方垂下壁とを備え、前記側方垂下壁の基端に隣接する前記点火部の内面に、該側方垂下壁の下縁から連続して上方に向かって凹入されて前記バーナヘッドの径方向に沿って内方に延びる凹部が形成されていることを特徴とする。
【００１５】
本発明によれば、張出部の上壁が点火プラグや点火プラグ収容部の上方を覆い、張出部の側方垂下壁及び前方垂下壁が、点火プラグ収容部の外側を包囲するので、点火プラグ収容部への煮こぼれ汁の侵入を防止することができる。
【００１６】
しかも、側方垂下壁の基端に隣接する点火部の内面に前記凹部が形成されていることにより、張出部上に流れ落ちた煮こぼれ汁が、側方垂下壁の基端から点火部の内側に回り込もうとしても、点火部の凹部の周縁の段差によってこれ以上の回り込みが阻止される。そして、点火部の手前で回り込みが阻止された煮こぼれ汁は、点火部に入り込むことなく落下するので、点火プラグへの煮こぼれ汁の付着や、点火プラグ収容部の奥側にある点火炎孔の煮こぼれ汁による目詰まりを防止することができ、煮こぼれ汁による点火不良を防止することができる。
【図面の簡単な説明】
【００１７】
【図１】本発明の実施形態のコンロ用バーナを示す側面図。
【図２】本実施形態のコンロ用バーナの要部断面図。
【図３】本実施形態におけるスペーサを示す斜視図。
【図４】本実施形態におけるバーナヘッドの底面を示す斜視図。
【発明を実施するための形態】
【００１８】
本発明の一実施形態を図面に基づいて説明する。本実施形態のコンロ用バーナは、図１に示すように、混合管１と、バーナボディ２と、バーナヘッド３と、バーナキャップ４とを備えている。
【００１９】
混合管１は、図示しないガスノズルから噴出する燃料ガスを一次空気と共に取り入れることにより燃料ガスと一次空気との混合ガスを生成する。
【００２０】
図２に示すように、混合管１の下流端には、バーナボディ２が連設されている。バーナボディ２は、金属製板材により形成された基体部５と、ダイカストにより形成されたスペーサ６とを備えている。スペーサ６の内部には点火プラグ７が設けられている。
【００２１】
バーナボディ２の基体部５は、外筒８と、外筒８の内側に設けられた内筒９とを備え、外筒８と内筒９との間に形成される環状の空間が混合管１に連通する混合ガス通路１０を構成している。
【００２２】
図２に示すように、基体部５の外筒８は、点火プラグ７が配置されている側が内筒９に接近する方向に偏心して設けられている。また、基体部５には、環状の底部隆起部１１が形成されている。内筒９は、その下端が底部隆起部１１の上端に連結されている。
【００２３】
スペーサ６は、図２及び図３に示すように、その底部１２に形成された連通用の開口である連結部１３に外筒８の上端を挿入した状態で基体部５に連結されている。スペーサ６は、その上端面にバーナヘッド３を載置する環状の載置部１４を備えている。
【００２４】
図１に示すように、スペーサ６は、コンロ本体（図示しない）の上面を閉塞する天板１５から露出する。天板１５には、バーナ用開口１６が形成されており、バーナ用開口１６とスペーサ６との間に形成される間隙を閉塞する環状の閉塞板１７が設けられている。また、閉塞板１７の外周の天板１５上には五徳１８が載置される。
【００２５】
スペーサ６はダイカストによって形成されているので、美観が高く、また、変形強度も高いことにより天板１５から露出させるのに好適である。
【００２６】
また、図２及び図３に示すように、スペーサ６の外周壁１９の内側には、点火プラグ７を収容する点火プラグ収容部２０が設けられている。点火プラグ収容部２０は、スペーサ６の外周壁１９の内面に沿って形成された縦長の空間であり、その上端が載置部１４の一部を横切るようにして開口されている。この開口は後述のプラグ用開口２６である。
【００２７】
図３に示すように、点火プラグ７は、その上端の電極側が点火プラグ収容部２０の奥側に傾く姿勢で点火プラグ収容部２０の内部に収容されている。これによって、点火プラグ７の上端から下端までの長さ寸法が比較的大きくても、点火プラグ７の高さ方向の寸法を抑えて点火プラグ収容部２０の内部に収容することができ、点火プラグ７の電極を点火プラグ収容部２０の上縁よりも低位置に収めることができる。
【００２８】
図２に示すように、点火プラグ収容部２０は、基体部５の外筒８を内筒９に対して偏心させることによって形成した比較的広いスペースに設けられる。点火プラグ７は、スペーサ６の外周壁１９の一部から下方に延びる支持片２１にねじ止めされることによってスペーサ６に取り付けられている。
【００２９】
なお、本実施形態においては、図３に示すように、スペーサ６の点火プラグ収容部２０に隣接する位置に熱電対２２が組み込まれている。熱電対２２は、図３に一部を示す支持部材２３を介してスペーサ６に支持されている。
【００３０】
点火プラグ収容部２０は、図２及び図３に示すように、載置部１４の周方向に所定間隔を存して互いに対向する一対の縦壁部２４と、両縦壁部２４の奥側に連続する背面壁部２５とを備え、その上端には、点火プラグ７の上方を開放するプラグ用開口２６（上端開口）が形成されている。また、プラグ用開口２６の奥側に位置する背面壁部２５の上端には平坦面２７が形成されており、プラグ用開口２６の外側（スペーサ６の径方向外側）には、スペーサ６の上面から上方に突出してプラグ用開口２６の外側周縁に沿って湾曲する形状の凸条２８が設けられている。
【００３１】
点火プラグ７が点火プラグ収容部２０に収容されていることにより、掃除等の際に図３に示すようにバーナヘッド３を取り外しても、点火プラグ７の上端にある電極が点火プラグ収容部２０のプラグ用開口２６から突出しない。これにより、掃除等の際に誤って点火プラグ７に接触することがなく、点火プラグ７の電極等の損傷を確実に防止できる。
【００３２】
また、点火プラグ収容部２０のプラグ用開口２６の外側周縁に沿って形成されている凸条２８は、スペーサ６の載置部１４の外側に流れてきた煮こぼれ汁を堰き止める。これにより、煮こぼれ汁が点火プラグ収容部２０に流れ込み難くなっている。
【００３３】
バーナヘッド３は、図４に示すように環状に形成され、その下面外周部に垂設された環状壁２９を備えている。環状壁２９には、大小多数の溝が形成されており、これらの溝により、図２に示すようにスペーサ６の載置部１４に当接したとき、バーナヘッド３の外周に沿って大小多数の調理用炎孔３０が形成される。調理用炎孔３０は、夫々、形状や大きさが異なるものが火炎形成に好適な配列で設けられている。
【００３４】
バーナヘッド３の内周には、環状壁２９と同心の垂下筒３１が設けられている。図２に示すように、垂下筒３１は、バーナヘッド３をスペーサ６の載置部１４に載置したとき、バーナボディ２の基体部５の内筒９に挿着される。このとき、垂下筒３１と内筒９とによって、バーナボディ２とバーナヘッド３との中央部を上下に貫く空洞部分３２が形成される。そして、この空洞部分３２には、鍋底温度センサ３３が設けられる。バーナヘッド３の上部には環状のバーナキャップ４が設けられることにより、空洞部分３２への異物の侵入が防止される。
【００３５】
バーナヘッド３の垂下筒３１とスペーサ６の内面との間に形成される環状の空間は、混合ガス通路１０に連通する分布室３４を構成している。混合管１から混合ガス通路１０を経て分布室３４に入った混合ガスは、バーナヘッド３の周方向に分布して調理用炎孔３０から噴出する。
【００３６】
また、バーナヘッド３には、点火プラグ収容部２０に収容されている点火プラグ７の上方を覆う点火部３５が形成されている。更に、バーナヘッド３には、点火部３５から連続してバーナヘッド３の径方向外方に張り出す張出部３６が形成されている。点火部３５と張出部３６とによって、点火プラグ収容部２０の上方が覆われる。
【００３７】
点火部３５は、図２及び図４に示すように、その裏面に点火プラグ収容部２０の背面壁部２５の上端に形成された平坦面２７に当接する当接面３７と、当接面３７の両側から下方に延びる一対の側壁部３８とを備えている。また、点火部３５の両側壁部３８は、その奥端縁が垂下筒３１から連続しており、両側壁部３８の間に位置する垂下筒３１の一部の面が点火部３５の後壁部３９とされている。
【００３８】
バーナヘッド３をスペーサ６の載置部１４に載置したとき、点火部３５の両側壁部３８は、夫々、点火プラグ収容部２０の両縦壁部２４の外側に気密に当接し、点火部３５の後壁部３９は空隙を存して点火プラグ収容部２０の背面壁部２５に対向する。更に、点火部３５の当接面３７には点火炎孔４０となる複数の溝と、下方に突出する突起による放電用ターゲット４１とが形成されている。点火炎孔４０は、当接面３７が点火プラグ収容部２０の平坦面２７に当接したとき、当接面３７の溝によって形成される。このとき、放電用ターゲット４１は、点火プラグ収容部２０に収容された点火プラグ７の電極からの放電が良好に生じる距離を存して位置される。
【００３９】
そして、点火部３５の後壁部３９と点火プラグ収容部２０の背面壁部２５との間の空隙は、下方が分布室３４に連通し、上方が点火炎孔４０に連通していることにより点火用ガス案内路４２を形成する。これにより、分布室の混合ガスが点火用ガス案内路４２を通って点火炎孔４０に供給される。
【００４０】
なお、点火プラグ７は、前述したように上端の電極側が点火プラグ収容部２０の奥側に傾く姿勢で点火プラグ収容部２０の内部に収容され、これによって、点火プラグ７の電極が点火炎孔４０に近接しているので、点火不良の発生を防止して円滑に点火することができる。
【００４１】
張出部３６は、点火プラグ収容部２０の上方に対向する上壁４３と、上壁４３におけるバーナヘッド３の周方向両側縁から下方に延びる一対の側方垂下壁４４と、両側方垂下壁４４に連続して上壁４３の張り出し方向先端縁から下方に延びる前方垂下壁４５とを備えている。これにより、点火部３５と共に点火プラグ収容部２０の上方を覆う。
【００４２】
更に、図１及び図２に示すように、側方垂下壁４４の下縁が、該側方垂下壁４４の基端（バーナヘッド３の環状壁２９の外面）から張出部３６の張り出し方向の先端に向かって次第に下降するように傾斜している。
【００４３】
更に、図４に示すように、側方垂下壁４４の基端に隣接する点火部３５の内面には、上方に向かって凹入された凹部４６が形成されている。
【００４４】
張出部３６は、バーナヘッド３に設けることで点火プラグ７や点火プラグ収容部２０に近接する位置でそれらの上方を覆う。しかも、張出部３６の側方垂下壁４４及び前方垂下壁４５は、点火プラグ収容部２０の外側を包囲する。これにより、点火部３５の内側や点火プラグ収容部２０の内部への煮こぼれ汁の侵入が防止される。従って、点火プラグ７への煮こぼれ汁の付着による点火不良が防止されると共に煮こぼれ汁が点火炎孔４０に入り込むこともなく、良好な点火を行うことができる。
【００４５】
更に、側方垂下壁４４の下縁が外側に向かって下降する傾斜になっているので、張出部３６上に流れ落ちた煮こぼれ汁は、側方垂下壁４４の下縁の傾斜を伝って、点火プラグ７や点火プラグ収容部２０から遠ざかる方向に案内される。これにより、煮こぼれ汁を点火プラグ収容部２０に向わせることなくバーナヘッド３の外方に円滑に排出することができる。
【００４６】
また、点火部３５の内面の上方に向かって凹入する凹部４６によって凹部４６の周縁には段差が形成される。これにより、張出部３６上に流れ落ちた煮こぼれ汁が、側方垂下壁４４の基端から点火部３５の内側に回り込もうとしても、点火部３５の凹部４６の周縁の段差によって煮こぼれ汁の回り込みを阻止することができる。そしてこのとき、側方垂下壁４４の下縁が外側に向かって下降する傾斜になっているので、点火部３５の手前で回り込みが阻止された煮こぼれ汁をバーナヘッド３の外側に向かって円滑に排除することができる。
【００４７】
このように、張出部３６が側方垂下壁４４及び前方垂下壁４５を備えるだけでなく、側方垂下壁４４の下縁が傾斜しており、更に、点火部３５の内面に凹部４６が形成されていることにより、点火プラグ７や点火炎孔４０への煮こぼれ汁の付着が確実に防止され、良好な点火を行うことができる。
【００４８】
更にまた、本実施形態においては、点火プラグ７が、その上端の電極側を点火プラグ収容部２０の奥側に傾けた姿勢であることにより、点火プラグ７の電極は張出部３６から最も遠い所に位置している。これにより、張出部３６の近傍に流下した煮こぼれ汁の飛び散りにより、万一、張出部３６の下方に入り込んでも、飛び散った煮こぼれ汁が点火プラグ７の電極に到達することを防止できる。
【００４９】
なお、本実施形態においては、側方垂下壁４４下縁の傾斜と点火部３５内面の凹部４６との両方を設けることにより、煮こぼれ汁の点火部３５への侵入や点火プラグ収容部２０への侵入に対する防止効果を飛躍的に向上させているが、これに限らず、側方垂下壁４４下縁の傾斜と点火部３５内面の凹部４６との何れか一方のみを設けた場合であっても、煮こぼれ汁の点火プラグ７への付着や点火プラグ収容部２０への侵入を十分に防止することができる。
【符号の説明】
【００５０】
１…混合管、２…バーナボディ、３…バーナヘッド、７…点火プラグ、１４…載置部、２０…点火プラグ収容部、２６…プラグ用開口（上端開口）、３０…調理用炎孔（炎孔）、３５…点火部、３６…張出部、４０…点火炎孔、４３…上壁、４４…側方垂下壁、４５…前方垂下壁、４６…凹部。
【図１】
0005980254.tif 000002
【図２】
0005980254.tif 000003
【図３】
0005980254.tif 000004
【図４】
0005980254.tif 000005